(57)【要約】      （修正有）【課題】コンデンサを使用した直流電源回路において負荷側にコイルＬ成分を持つオーデイオ機器で、コイルＬ成分による逆起電力が発生し、コンデンサを使用した直流電源回路のマイナス側に重畳すると一時的に整流回路が停止し、音質に悪影響を与えている、そこで逆起電力回生回路付電源回路を提供する。【解決手段】逆起電力回生素子（ＳＢＤ）４のカソードをコンデンサ２（＋）側に接続、該逆起電力回生素子（ＳＢＤ）４のアノードをコンデンサ２（−）側に接続、逆起電力を回生することで（−）側に重畳する逆起電力を（＋）側に回生させることで整流回路が正常に働き、オーデイオ機器の音質改善ができる。【選択図】図１
0003133340.tif 000002
【実用新案登録請求の範囲】
【請求項１】
シリーズ電源回路及びスイッチング電源回路などの、コンデンサを使用した直流電源回路において、プラス（＋）側とマイナス（−）側間に、コイルＬ成分を含む負荷から発生する逆起電力を回生させるため、逆起電力回生素子としてショットキ・バリヤ・ダイオードのカソードをコンデンサプラス（＋）側に接続、該ショットキ・バリヤ・ダイオードのアノードをコンデンサプラス（−）に接続したことを特徴とするコンデンサを使用した直流電源回路。
【請求項２】
前記ショットキ・バリヤ・ダイオードは逆方向もれ電流が定格電圧時０．８ｍＡ以下の低漏れ電流を特徴とするタイプで、順方向圧降下（ＶＦ）は理論限界値に近い値をもち、例えば順方向電流３０Ａタイプ逆耐電圧（ＰＲＶ）が３０Ｖ品で３０Ａ時に順方向圧降下（ＶＦ）が、ＶＦ＝０．５６Ｖ、逆耐電圧（ＰＲＶ）が２００Ｖ品でＶＦ＝０．９１Ｖ以下で、なおかつ、アバランシェ耐量を有することを特徴とする請求項１に記載のコンデンサを使用した直流電源回路。
【請求項３】
前記ショットキ・バリヤ・ダイオードが、絶縁ケースにショットキ・バリヤ・ダイオードチップとして封入され、前記絶縁ケースから該チップのプラス（＋）側及びマイナス（−）側の極性が判別できるように識別可能なマークと一対のリード線を導出したパッケージ封入型の逆起電力回生モジュールとしたことを特徴とする請求項１に記載のコンデンサを使用した直流電源回路。
【考案の詳細な説明】
【技術分野】
【０００１】  本考案はシリーズ電源回路及びスイッチング電源回路など、コンデンサを使用した直流電源回路において、負荷側にコイルＬ成分を持つために発生する逆起電力を回生させることを特徴とするためのコンデンサを使用した直流電源回路に関するものである。
【背景技術】
【０００２】  図２、従来のコンデンサを使用した直流電源回路を示す。
図２において、１は整流器、２はコンデンサ、３はコイルＬを含む負荷、である。このコンデンサを使用した直流回路では、コイルＬ成分を含む負荷で発生する逆起電力はグランドループを作りマイナス（−）側にもどる設計になっている。
しかしながら、現実はマイナス（−）ライン側に逆起電力が短時間存在し、該マイナス（−）ライン側に重畳され、（＋）側電位よりも（−）側電位が高くなる現象が生じるが、かかる現象に全く対応されていないのが現状である。【０００３】なお、図２は従来のシリーズ電源半波整流のコンデンサ・インプット整流回路だが，コンデンサを使用した直流電源回路は、全波整流回路（センタータップ型）、全波整流回路（ブリッジ型）、中点付整流回路（ブリッジ型）のようなものがある、またシリーズ電源チョーク・インプット回路もあり、スイッチング電源の最後にコンデンサを使用した直流電源回路も同様で、これらの回路はすべが動作原理、と作用は同一である、
【考案が解決しようとする課題】
【０００４】  上記のように、従来ではコイルＬ成分を含む負荷で発生する逆起電力に対する対策については全く考慮されていないために、マイナス（−）ライン側に（＋）側電位以上の逆起電力が重畳される現象が生じる。かかる場合にはコンデンサを使用した直流電源回路本来の能力が発揮することが出来ず、コンデンサを使用した直流電源回路の出力を低下させる原因ともなっている。
【課題を解決するための手段】
【０００５】  本考案は、上記のような課題を解決するためになされたもので、コンデンサを使用した直流電源回路の能力を十分に発揮することができることを提供することを目的とする。すなわち、シリーズ電源回路及びスイッチング電源回路などの、コンデンサを使用した直流電源回路において、プラス（＋）側とマイナス（−）側間に、コイルＬ成分を含む負荷から発生する逆起電力を回生させるため、逆起電力回生素子としてショットキ・バリヤ・ダイオードのカソードをコンデンサプラス（＋）側に接続、該ショットキ・バリヤ・ダイオードのアノードをコンデンサプラス（−）に接続したことを特徴とするコンデンサを使用した直流電源回路である。
【０００６】  また、本考案のコンデンサを使用した直流回路の上記ショットキ・バリヤ・ダイオードは逆方向もれ電流が定格電圧時０．８ｍＡ以下の低漏れ電流を特徴とするタイプで、順方向圧降下（ＶＦ）は理論限界値に近い値をもち、例えば順方向電流３０Ａタイプ逆耐電圧（ＰＲＶ）が３０Ｖ品で３０Ａ時に順方向圧降下（ＶＦ）が、ＶＦ＝０．５６Ｖ、逆耐電圧（ＰＲＶ）が２００Ｖ品でＶＦ＝０．９１Ｖ以下で、なおかつ、アバランシェ耐量を有することを特徴とする請求項１に記載のコンデンサを使用した直流電源回路である。
【０００７】  さらに、本考案のコンデンサを使用した直流電源回路は、上記ショットキ・バリヤ・ダイオードが、絶縁ケースにショットキ・バリヤ・ダイオードチップとして封入され、前記絶縁ケースから該チップのプラス（＋）側及びマイナス（−）側の極性が判別でき、リード線を導出したパッケージ封入型の逆起電力回生モジュールとしたことを特徴とするものである。
【考案の効果】
【０００８】  本考案モジュールのカソードとコンデンサを使用した直流電源回路のコンデンサ（＋）側に接続、該モジュールのアノードをコンデンサ（−）側に接続することにより、コンデンサ（−）側に重畳した電位が、該コンデンサ（＋）側より高い電位になった際に即座に電流として流す。これによりコンデンサ本来のプラス（＋）、マイナス（−）の働きが出来、負荷電流の正常化が図れることになる。
結果オーディオ機器に採用すると音声信号の正常な増幅が出来、低音の切れ味高域の滑らかさなど従来の音響機器では出せない高級音響機器が作ることが出来た。
【考案を実施するための最良の形態】
【０００９】  コンデンサを使用した直流電源回路は低漏れ電流を特徴としたショットキ・バリヤ・ダイオードのカソードをコンデンサ（＋）側に接続、該ショットキ・バリヤ・ダイオードのアノードをコンデンサ（−）側に接続することを特徴とするコンデンサを使用した直流電源回路である。
【実施例】
【００１０】  本願考案の実施例を図１に示す。整流器１、コンデンサ２、コイルＬを含む負荷３からなり、コンデンサ２は正極端子（＋）と負極端子（−）を備え、ショットキ・バリヤ・ダイオード４、のカソードをコンデンサ・インプット整流回路のコンデンサ（＋）側に接続アノードをコンデンサ（−）側に接続される。【００１１】  詳しく説明すると、コンデンサ（−）側に重畳される逆起電力を速やかに電流として回生させるには理論上、伝導度変調で整流する、少数キャリア素子（ダイオード）では順回復時間が存在するため、コンデンサ以上の逆起電力が発生するとコンデンサの電圧以上の電圧がかかり、直流回路を一時的にオフ状態に追い込む、従って理論的に少数キャリア素子（ダイオード）では達成できない。逆起電力回生モジュール（低リーク、ショットキ・バリヤ・ダイオード）は電圧が発生すると即電流として流すので、微小電圧領域から即電流として流れるためコンデンサを使用した直流回路の一時的なオフ状態は無くなる。【００１２】  前記ショットキ・バリヤ・ダイオードにおいて、電流定格３０Ａタイプでは順方向電流３０Ａ時に、順方向圧降下（ＶＦ）が、ＶＦ＝０．６５Ｖ以下で、かつ、逆耐電圧（ＰＲＶ）が、ＰＲＶ＝３０Ｖ以上の特性を有するとともに，耐圧は夫々の回路でコンデンサの耐圧にあった耐圧が必要となる、逆方向もれ電流は低漏れ電流タイプのショットキ・バリヤ・ダイオード、定格電圧時０．８ｍＡ以下で、なおかつ、アバランシェ耐量を有する物のみが可能となる。【００１３】  上記コンデンサを使用した直流電源回路を構成する逆起電力回生モジュールは多数キャリア素子で、低漏れ電流が特徴、アバランシェ耐量を持つショットキ・バリア・ダイオードであり、絶縁ケースに該ダイオードチップを封入し、前記絶縁ケースから該チップのプラス（＋）側及びマイナス（−）側の極性が判別でき、リード線を導出したパッケージ封入型の逆起電力回生モジュールとしたことを特徴とするものである。【００１４】  以上のように、コンデンサ２（＋）側の電位と（−）側の電位の逆転する現象、逆起電力は、本考案の手段により回生することができるので、コンデンサを使用した直流電源回路の一時的なオフ状態は無くなり理想の電源回路が構築されその実用的価値は大きなものとなる。
【図面の簡単な説明】
【００１５】
【図１】本考案の逆起電力回生モジュールを使用したコンデンサを使用した直流電源回路を示すブロック図である。
【図２】従来のコンデンサを使用した直流電源回路を示すブロック図である。
【符号の説明】
１−−−整流器
２−−−コンデンサ
３−−−コイルＬを含む負荷
４−−−逆起電力回生モジュール
【図１】
0003133340.tif 000003
【図２】
0003133340.tif 000004
【手続補正書】
【提出日】平成19年2月22日(2007.2.22)
【手続補正１】
【補正対象書類名】実用新案登録請求の範囲
【補正対象項目名】請求項１
【補正方法】変更
【補正の内容】
【請求項１】
シリーズ電源回路及びスイッチング電源回路などの、コンデンサを使用した直流電源回路において、プラス（＋）側とマイナス（−）側間に、コイルＬ成分を含む負荷から発生する逆起電力を回生させるため、逆起電力回生素子としてショットキ・バリヤ・ダイオードのカソードをコンデンサプラス（＋）側に接続、該ショットキ・バリヤ・ダイオードのアノードをコンデンサマイナス（−）側に接続したことを特徴とするコンデンサを使用した直流電源回路。
【手続補正２】
【補正対象書類名】明細書
【補正対象項目名】０００５
【補正方法】変更
【補正の内容】
【０００５】  本考案は、上記のような課題を解決するためになされたもので、コンデンサを使用した直流電源回路の能力を十分に発揮することができることを提供することを目的とする。すなわち、シリーズ電源回路及びスイッチング電源回路などの、コンデンサを使用した直流電源回路において、プラス（＋）側とマイナス（−）側間に、コイルＬ成分を含む負荷から発生する逆起電力を回生させるため、逆起電力回生素子としてショットキ・バリヤ・ダイオードのカソードをコンデンサプラス（＋）側に接続、該ショットキ・バリヤ・ダイオードのアノードをコンデンサマイナス（−）側に接続したことを特徴とするコンデンサを使用した直流電源回路である。